(57)【要約】【課題】海洋・河川が汚染されたとき、汚濁水を容易に回収できるようにすること。【解決手段】揚水ポンプ２５に連結された揚水ホース２と，汚濁水８０表面に浮設された浮体装置１００と、前記浮体装置１００上に配設され、前記揚水ホース２を前記汚濁水８０表面に対して進退させる駆動装置３と、前記汚濁水８０表面に浮かぶ汚濁物濃厚層８１に対する前記揚水ホース２の吸込口２０の相対位置を検知する位置センサ１１と，前記吸込口２０が前記汚濁物濃厚層８１内に位置するように前記位置センサ１１により検知された前記吸込口２０の相対位置に応じて前記揚水ホース２を昇降させるホース駆動手段３とから汚濁水回収装置９を構成した。【選択図】　図２
2004016872.tif 000002
【特許請求の範囲】
【請求項１】
揚水ポンプに連結された揚水ホースと，汚濁水表面に浮設された浮体装置と、前記浮体装置上に配設され、前記揚水ホースを前記汚濁水表面に対して進退させる駆動装置と、前記汚濁水表面に浮かぶ汚濁物濃厚層に対する前記揚水ホースの吸込口の相対位置を検知する位置センサと，前記吸込口が前記汚濁物濃厚層内に位置するように前記位置センサにより検知された前記吸込口の相対位置に応じて前記揚水ホースを昇降させるホース駆動手段とからなることを特徴とする汚濁水回収装置。
【請求項２】
請求項１において，前記位置センサは，前記吸込口から所定の位置に配置された一対の電極を有し，前記電極間における電気導通の有無を測定することにより前記汚濁物濃厚層に対する前記吸込口の相対位置を検知するように構成されていることを特徴とする汚濁水回収装置。
【請求項３】
請求項２において，前記位置センサは，前記電極が汚濁水中に配置され前記電極間で電気導通がある場合を正常と判断し，前記電極が空気層内に配置され前記電極間で電気導通がない場合を異常と判断し，前記異常の場合には，前記正常と判断するまで前記吸込口を下降させるホース下降信号を作成する水中センサであることを特徴とする汚濁水回収装置。
【請求項４】
請求項３において，前記ホース駆動手段は，定期的に前記吸込口を上昇させた後，前記水中センサにより作成された前記ホース下降信号に従って前記揚水ホースを下降させるように制御されていることを特徴とする汚濁水回収装置。
【請求項５】
請求項２において，前記位置センサは，前記電極が空気中に配置され前記電極間で電気導通がない場合を正常と判断し，前記電極が汚濁水中に配置され前記電極間で電気導通がある場合を異常と判断し，前記異常の場合には，前記正常と判断するまで前記吸込口を上昇させるホース上昇信号を作成する空中センサであることを特徴とする汚濁水回収装置。
【請求項６】
請求項５において，前記ホース駆動手段は，定期的に前記吸込口を下降させた後，前記空中センサにより作成された前記ホース上昇信号に従って前記揚水ホースを上昇させるように制御されていることを特徴とする汚濁水回収装置。
【請求項７】
請求項２において，前記位置センサは，前記電極が汚濁水中に配置され前記電極間で電気導通がある場合を正常と判断し，前記電極が空気層内に配置され前記電極間で電気導通がない場合を異常と判断し，前記異常の場合には，前記正常と判断するまで前記吸込口を下降させるホース下降信号を作成する水中センサと，前記電極が空気中に配置され前記電極間で電気導通がない場合を正常と判断し，前記電極が汚濁水中に配置され前記電極間で電気導通がある場合を異常と判断し，前記異常の場合には，前記正常と判断するまで前記吸込口を上昇させるホース上昇信号を作成する空中センサとからなることを特徴とする汚濁水回収装置。
【請求項８】
請求項７において，前記ホース駆動手段は，前記水中センサにより作成された前記ホース下降信号及び前記空中センサにより作成された前記ホース上昇信号により，前記揚水ホースを昇降させるように構成されていることを特徴とする汚濁回収装置。
【請求項９】
請求項１〜８のいずれか１項においては，前記汚濁水は，油濁水であることを特徴とする汚濁水回収装置。
【請求項１０】
請求項１〜９のいずれか１項において，前記浮上汚濁物は，浮上油分であることを特徴とする汚濁水回収装置。
【請求項１１】
請求項１〜１０のいずれか１項において、前記揚水ポンプは、前記浮体装置に配設されていることを特徴とする汚濁水回収装置。
【請求項１２】
請求項１〜１０のいずれか１項において、前記揚水ポンプは、前記浮体装置と所定距離だけ離れて位置する水上航行体に搭載されていることを特徴とする汚濁水回収装置。
【請求項１３】
請求項１〜１０のいずれか１項において、前記揚水ポンプは、前記浮体装置と所定距離だけ離れて位置する陸地に配設されていることを特徴とする汚濁水回収装置。
【発明の詳細な説明】
【０００１】
【発明の属する技術分野】
本発明は，廃油などの水よりも比重の小さい汚濁物を含む汚濁水から汚濁物を分離回収する汚濁水回収装置に関する。
【０００２】
【従来の技術】
油分は，海や湖沼に流出して水環境を汚染する原因となる。このため，油分が流出した場合には，油分を回収して川下に影響を出さないように環境保全を図る必要がある。その方策として，第一に，油分を含む汚濁水を揚水する方法がある。第二に，汚濁物を凝固させたり，浮上している汚濁物を採取，放棄する方法がある。後者の方法では，油分などの浮上汚濁物が水よりも比重が軽いことを利用して，汚濁水を貯留し浮上してきた浮上汚濁物を水面付近の水分とともに，揚水ポンプを備えた揚水ホースにより機械的に揚水して回収する方法がある。
【０００３】
【発明が解決しようとする課題】
しかしながら，前記の機械的に浮上汚濁物を揚水する方法では，雨や乾燥などの気象条件により，貯蔵槽内の汚濁水の水面が変わり，揚水される汚濁物の中に多量の水分が混入することがある。特に，揚水ホースが水面に対して深い位置に開口している場合には，想像を超える多量の水分が混入する。これにより，以下の問題が生じる。
【０００４】
第一に，揚水された汚濁水の廃棄処理が困難となる。即ち，廃油を含む汚濁物は，一般的には燃焼により処理されていることから，回収した汚濁物中の水分含量が多いと，燃焼に多大な負荷，エネルギー，作業を費やすことになる。そのため，燃焼負荷軽減のために，油水分離処理を行う必要が生じてしまう。第二に，汚濁物の回収に多大なエネルギーが必要となる。即ち，汚濁物は，多量の水分とともに回収されるため，大型の揚水ポンプが必要となる。このため，ポンプ作動に多大なエネルギーが必要となる。
【０００５】
本発明はかかる従来の問題点に鑑み，特に海面や河川水面において、浮上汚濁物を含む汚濁物含有液を効率良く揚水することができる汚濁水浄化装置を提供しようとするものである。
【０００６】
【課題を解決するための手段】
請求項１の発明は，揚水ポンプに連結された揚水ホースと，汚濁水表面に浮設された浮体装置と、前記浮体装置上に配設され、前記揚水ホースを前記汚濁水表面に対して進退させる駆動装置と、前記汚濁水表面に浮かぶ汚濁物濃厚層に対する前記揚水ホースの吸込口の相対位置を検知する位置センサと，前記吸込口が前記汚濁物濃厚層内に位置するように前記位置センサにより検知された前記吸込口の相対位置に応じて前記揚水ホースを昇降させるホース駆動手段とからなることを特徴とする汚濁水回収装置である。
【０００７】
本発明においては，位置センサにより汚濁物濃厚層に対する揚水ホースの吸込口の相対位置を検知し，その検知された相対位置に応じて，吸込口が汚濁物濃厚層の中に位置するように揚水ホースを昇降している。そのため，揚水ホースの吸込口を汚濁物濃厚層に位置させることができる。このため，吸込口から汚濁物を高濃度に含む濃厚液を揚水することができる。また，位置センサによって吸込口の位置を検知しているため，汚濁水の水位が変わった場合にも，それに応じて吸込口の位置を調整し，汚濁物濃厚層内に位置させることができる。
【０００８】
また，揚水された汚濁物濃厚液中の汚濁物濃度は高く，その後の汚濁物の燃焼処理を効率よく行うことができる。また，汚濁水から汚濁物濃厚層が選択的に回収されるため，汚濁水を効率良く浄化することができる。また，揚水手段により高濃度の汚濁物濃厚液を揚水しているため，事後の工程における処理を効率化できる。また，濃厚な汚濁物濃厚液を揚水できるため，揚水量を少なくでき，揚水ポンプの消費エネルギーも少なくすることができる。以上のごとく，本発明によれば，浮上汚濁物を含む汚濁物含有液を効率良く揚水することができる汚濁水回収装置を提供することができる。
【０００９】
請求項２の発明のように，前記位置センサは，前記吸込口から所定の位置に配置された一対の電極を有し，前記電極間における電気導通の有無を測定することにより前記汚濁物濃厚層に対する前記吸込口の相対位置を検知するように構成されていることが好ましい。これは，汚濁水が電気導通性を有し，空気は電気導通性がないという性質を利用したものである。一対の電極間において電気導通が検知される場合には，電極は汚濁水の中に配置していると判断される。一方，電極間において電気導通が検知されない場合には，電極は空気の中に配置されていると判断される。また，電極は吸込口に対して所定位置に設置されており，電極と吸込口との距離は予め設定されている。従って，前記のように電極が汚濁水の中に配置しているか否かの検知結果と，吸込口に対する電極の位置とから，汚濁物濃厚層に対する吸込口の相対位置をもとめることができる。
【００１０】
請求項３の発明のように，前記位置センサは，前記電極が汚濁水中に配置され前記電極間で電気導通がある場合を正常と判断し，前記電極が空気層内に配置され前記電極間で電気導通がない場合を異常と判断し，前記異常の場合には，前記正常と判断するまで前記吸込口を下降させるホース下降信号を作成する水中センサであることが好ましい。ホース下降信号にしたがってホース駆動手段により揚水ホースを下降させることにより，揚水ホースの吸込口を，汚濁物濃厚層の中に位置させることができる。たとえば，揚水ホースを汚濁水の中に設置する際や，設置後に乾燥や揚水などによって汚濁水の水位が減少した場合には，吸込口は汚濁物濃厚層の上方の空気層にズレてしまう。この場合にも，前記水中センサによるホース下降信号の作成及び揚水ホースの下降によって，吸込口を汚濁物濃厚層の中に位置させることができる。
【００１１】
請求項４の発明のように，前記ホース駆動手段は，定期的に吸込口を上昇させた後，前記水中センサにより作成された前記ホース下降信号に従って前記揚水ホースを下降させるように制御されていることが好ましい。これにより，汚濁水の水位が下降した場合だけでなく上昇した場合にも，吸込口を汚濁物濃厚層の中に位置させることができる。なお，吸込口を定期的に上昇させる量，上昇させるタイミングは，揚水される汚濁水の変化状況に十分適応する程度とする。
【００１２】
請求項５の発明のように，前記位置センサは，前記電極が空気中に配置され前記電極間で電気導通がない場合を正常と判断し，前記電極が汚濁水中に配置され前記電極間で電気導通がある場合を異常と判断し，前記異常の場合には，前記正常と判断するまで前記吸込口を上昇させるホース上昇信号を作成する空中センサであることが好ましい。ホース上昇信号にしたがってホース駆動手段により揚水ホースを上昇させることにより，揚水ホースの吸込口を，汚濁水に浮かぶ汚濁物濃厚層の中に位置させることができる。たとえば，揚水ホースを汚濁水の中に設置した後に，雨などによって汚濁水の水位が増量した場合には，吸込口は汚濁物濃厚層の下方の，汚濁物が希薄な希薄層に開口することになる。この場合にも，前記空中センサによるホース上昇信号の作成及び揚水ホースの上昇によって，吸込口を，汚濁水水面付近の汚濁物濃厚層の中に位置させることができる。
【００１３】
請求項６の発明のように，前記ホース駆動手段は，定期的に前記吸込口を下降させた後，前記空中センサにより作成された前記ホース上昇信号に従って前記揚水ホースを上昇させるように制御されていることが好ましい。これにより，汚濁水の水位が上昇した場合だけでなく下降した場合にも，吸込口を汚濁物濃厚層の中に位置させることができる。なお，吸込口を定期的に下降させる量，上昇させるタイミングは，揚水される汚濁水の変化状況に十分適応する程度とする。
【００１４】
請求項７の発明のように，前記位置センサは，前記電極が汚濁水中に配置され前記電極間で電気導通がある場合を正常と判断し，前記電極が空気層内に配置され前記電極間で電気導通がない場合を異常と判断し，前記異常の場合には，前記正常と判断するまで前記吸込口を下降させるホース下降信号を作成する水中センサと，前記電極が空気中に配置され前記電極間で電気導通がない場合を正常と判断し，前記電極が汚濁水中に配置され前記電極間で電気導通がある場合を異常と判断し，前記異常の場合には，前記正常と判断するまで前記吸込口を上昇させるホース上昇信号を作成する空中センサとからなることが好ましい。これにより，吸込口を汚濁物濃厚層の中に正確に位置させることができる。
【００１５】
請求項８の発明のように，前記ホース駆動手段は，前記水中センサにより作成された前記ホース下降信号及び前記空中センサにより作成された前記ホース上昇信号により，前記揚水ホースを昇降させるように構成されていることが好ましい。これにより，吸込口を汚濁物濃厚層の中に一層正確に位置させることができる。また，揚水ホースを定期的に昇降させる必要もなく，吸込口を汚濁物濃厚層の中に位置させることができる。
【００１６】
請求項９の発明のように，前記汚濁水は，油濁水であることが好ましい。この場合，たとえば，請求項１０の発明のように，前記浮上汚濁物は，浮上油分であることである。浮上油分としては，鉱油，動植物油などがある。
【００１７】
尚、揚水ポンプは、浮体装置に搭載したり（請求項１１）、水上航行体に搭載したり（請求項１２）、陸地に設置（請求項１３）したりすることができる。
【００１８】
【発明の実施の形態】
実施形態例１：図１〜図３に示す本例の油濁水回収装置９は，油濁水８０の表面に浮かぶ油分の濃厚層８１を揚水するための揚水手段９１を備える。
【００１９】
揚水手段９１は，陸地に配設された揚水ポンプ２５を有している。この揚水ポンプ２５は、揚水ホース２に連結されている。揚水手段９１は、更に、濃厚層８１に対する揚水ホース２の吸込口２０の相対位置を検知する水中センサ１１と，吸込口２０が濃厚層８１の中に位置するように吸込口２０の相対位置に応じて揚水ホース２を昇降させるホース駆動手段３とを有している。しかして、ホース駆動手段３としては、周知構造の機構が採用されており、このホース駆動手段３は浮体装置１００の本体部１０２に内蔵されている。揚水ホース２を昇降させるホース駆動手段３を浮体装置１００の本体部１０２に設けることにより、揚水ホース２の昇降の際に、浮体装置１００が横方向に移動させないようにすることが可能となる。尚、揚水ポンプ２５は、浮体装置１００や浮体装置１００に隣接する船その他の水上航行体（図示略）に搭載しても良い。
【００２０】
浮体装置１００は、図１及び図２に示すように、正方形の頂点をなすように配置された４個の浮体１０４及び隣接する浮体１０４を連結するパイプビーム１０６を備える。各浮体１０４には逆Ｌ型のパイプステー１０８が固定されており、４本のパイプステーは、全体として、平面的に見てＸ型を構成するように方向つけられ、先端部にて本体部１０２に固定される。これにより、本体部１０２は、油濁水８０から所定の高さの位置に置かれることになる。
【００２１】
水中センサ１１は，図３に示すごとく，吸込口２０から所定の位置に配置された一対の電極１１１，１１２を有する。水中センサ１１は，電極１１１，１１２の間における電気の導通の有無を測定することにより，濃厚層８１に対する吸込口２０の相対位置を検知するように構成されている。
【００２２】
本例の水中センサ１１は，電極１１１，１１２が水中に存在する場合を正常と判断する位置センサである。即ち，水中センサ１１は，電極１１１，１１２が油濁水８０の中に配置され電極間で電気導通が生じている場合を正常と判断し，電極１１１，１１２が空気層８７内に配置され電気導通が生じない場合を異常と判断する。尚、ここでいう電気導通の有無は、測定誤差、湯濁水の物性を考慮して、電気導通度の所定の値を基準として決定されるようになっている。
【００２３】
水中センサ１１は，正常と判断した場合には，揚水ホース２の下降を停止する停止信号を作成し，これをホース駆動手段３に送る。一方，異常と判断した場合には，正常と判断するまで吸込口２０を下降させるホース下降信号を作成し，これをホース駆動手段３に送る。
【００２４】
水中センサ１は，揚水ホース２の表面にワイヤー１１３で固定されている。電極１１１，１１２は，揚水ホース２の吸込口２０の付近に位置し，且つ濃厚層８１の中に位置しているときに，同様に濃厚層８１の中に位置するように，揚水ホース２に固定されている。具体的には，水中センサ１は，一対の電極１１１，１１２を有している。電極１１１，１１２は，吸込口２０から上方へ約５０ｍｍの位置であって，揚水ホース２の表面から１５ｍｍ程度離れた位置に配置されている。
【００２５】
ホース駆動手段３は，定期的（たとえば，１日ごと）に吸込口２０を３ｍｍ程度上昇させた後，水中センサ１１により作成されたホース下降信号に従って揚水ホース２を下降させるように制御されている。
【００２６】
ホース駆動手段３は，図２に示すごとく，ガイド３３に沿って揚水ホース１を昇降させる巻き上げ装置３１と，巻き上げ装置３１のモータ回転量を制御する制御回路３２とからなる。水中センサ１１で作成されたホース下降信号は，制御回路３２に送られる。ここには，予め揚水ホース２を定期的に上昇させるように定期上昇信号が設定されている。このため，制御回路３２において，前記ホース下降信号と前記定期上昇信号とを合わせて，巻き上げ装置３１のモータ回転量，回転方向，回転のタイミングが制御される。これにしたがって巻き上げ装置３１に巻きつけられている揚水ホース２が昇降する。
【００２７】
次に，本例の油濁水回収装置を用いた油濁水回収方法について説明する。図３（ａ）に示すごとく，揚水ホース２を河川の水面上油濁水８０の中に配置する。油濁水８０は，その表面に厚み約５０ｍｍ程度で浮かぶ油分の濃度が多い濃厚層８１を有している。以下，濃厚層８１の中に揚水ホース２の吸込口２０を配置する方法について説明する。
【００２８】
図３（ｂ）に示すごとく，水中センサ１１を作動させた状態で，揚水ホース２を油濁水８０の中に下降させる。水中センサ１１の電極１１１，１１２の間は，空気層８７が介在しているのみであるため，電気導通はしない。このため，水中センサ１１は異常と判断して，揚水ホース１を下降させるホース下降信号を作成し，これをホース下降手段３に送りつづける。ホース駆動手段３は，水中センサ１１より送られたホース下降信号を受け，これに基づいて巻き上げ装置３１を回転させ揚水ホース２を下降させる。
【００２９】
揚水ホース２が下降すると，やがて，その吸込口２０及び電極１１１，１１２は，油濁水８０の中に入る。油濁水８０は，導電性を有するため，電極１１１，１１２の間で電気が導通する。すると，水中センサ１１は，正常と判断し，揚水ホース２の下降を停止する停止信号を作成する。停止信号は，直ちにホース駆動手段３に送られ，巻き上げ装置３１は回転を止める。これにより，揚水ホース２の下降が停止し，吸込口２０が油濁水８０の表面に浮かぶ濃厚層８１の中に配置される。
【００３０】
ホース駆動手段の制御回路３２には，定期的に揚水ホースを上昇させる定期上昇信号が設定されている。このため，ホース駆動手段３は，定期的に揚水ホース２を上昇させる。このとき，水中センサ１１は，空気層８７の中に配置され電極間１１１，１１２で電気導通は生じない。そのため，この状態を異常と判断し，揚水ホース２を下降させるホース下降信号を作成し，これに基づいて揚水ホース２を下降させる。やがて，電極１１１，１１２が油濁水８０の中に入ったときには，電極間の電気導通が開始する。この状態を正常と判断し，ホース停止信号を作成し，ホース駆動手段３により揚水ホース２の下降を直ちに停止させる。これにより，揚水ホース２の吸込口２０を，油濁水８０の表面に浮かぶ濃厚層８１の中に再度位置させることができる。
【００３１】
また，水中センサ１１は，常時作動させておくことが好ましい。これにより，油濁水８０の水位が吸入（汲み上げ）などによって下降した場合にも，すぐに水中センサ１１によりホース下降信号が作成され，揚水ホース２が下降し吸込口２０を濃厚層８１の中に位置させることができる。
【００３２】
前記のごとく吸込口２０を濃厚層８１の中に配置した後に，揚水ポンプ２５のスイッチを入れ，濃厚層８１を油分濃厚液８１１として汲み上げる。これにより，吸込口２０は濃厚層８１の中に位置しているため，その中の油分濃厚液８１１を揚水ポンプ２５により汲み上げ，下方の油分が希薄な希薄層８２は残される。
【００３３】
揚水された油分濃厚液８１１は，揚水ポンプ２５によって図示されない汚濁物質処理装置に送られて、適宜、処分される。
【００３４】
次に，本例の作用及び効果について説明する。水中センサ１１により濃厚層８１に対する吸込口２０の相対位置を検知し，その検知された相対位置に応じて，吸込口２０が濃厚層８１の中に位置するように揚水ホース２を昇降させている。そのため，吸込口２０を濃厚層８１に適正に位置させることができる。したがって，濃厚な油濁液を揚水することができる。また，油濁水８０からは濃厚な油濁液が除去されるため，油濁水８０を効率良く浄化することができる。また，定期的に揚水ホース２を上昇させ，水中センサ１１において作成されるホース下降信号にしたがって，吸込口２０が濃厚層８１の中に配置されるまで揚水ホース２を下降させている。そのため，油濁水８０の水位が変わった場合にも，それに応じて吸込口２０の位置を変えることができ，常に濃厚な油分濃厚液８１１を揚水することができる。したがって，その後の処理過程における油濁物８３の回収効率が高くなり，例えば、汚濁物８３の焼却効率を高めることができる。
【００３５】
実施形態例２：本例においては，図４（ａ）に示すごとく，水中センサ１１だけでなく空中センサ１２も用いて，吸込口２０の位置を検出している。空中センサ１２は，一対の電極１２１，１２２を有しており，ワイヤー１２３により揚水ホース２に固定されている。電極１２１，１２２は，吸込口２０の上方に位置し，且つ吸込口２０が濃厚層８１の中に位置しているときには空気層８７の中に位置するように配置される。具体的には，電極１２１，１２２は，揚水ホース２の吸込口２０から上方に約１５０ｍｍであって，揚水ホース２の表面から１５ｍｍ離れた位置に配置される。
【００３６】
空中センサ１２は，電極１２１，１２２が空気層８７の中に配置されて前記電極間の電気導通がない場合を正常と判断し，電極１２１，１２２が油濁水８０の中に配置されて前記電極間の電気導通がある場合を異常と判断する位置センサである。水中センサ１２は，異常と判断した場合には，正常と判断するまで揚水ホース２を上昇させるホース上昇信号を作成する。
【００３７】
また，水中センサ１１は，前記実施形態例１と同様の構成である。次に，揚水ホースを油濁水８０の中に配置するにあたっては，実施形態例１と同様に，図４（ｂ）に示すごとく，水中センサ１１のホース下降信号にしたがって，吸込口２０が濃厚層８１の中に位置するまで揚水ホース２を下降させる。
【００３８】
水中センサ１１及び空中センサ１２は，常時作動させておく。油濁水８０の水位が下降した場合には，水中センサ１１においてホース下降信号が作成される。ホース下降信号はホース駆動手段３に送られ，揚水ホース２を下降させる。水中センサ１１の電極１１１，１１２が油濁水８０の中に入り電極間で電気導通を生じた場合には，正常と判断し，ホース停止信号を作成し，これをホース駆動手段３に送り，揚水ホース２の下降を直ちに停止させる。これにより，油濁水８０の水位が下降した場合にも，自動的に吸込口２０が濃厚層８１の中に配置される。
【００３９】
一方，油濁水８０の水位が上昇した場合には，図４（ｂ）に示すごとく，空中センサ１２の電極１２１，１２２は，油濁水８０の中に浸るため電極間で電気導通が生じる。空中センサ１２はこの状態を異常と判断し，ホース上昇信号を作成する。ホース上昇信号は，ホース駆動手段３に送られ，揚水ホース２の巻き上げが行われる。そして，電極１２１，１２２の間で電気導通がなくなった場合には，これを正常と判断し，ホース停止信号を作成する。そして，ホース停止信号は，ホース駆動手段３に送られ，揚水ホース２の上昇が直ちに停止される。これにより，吸込口２０が濃厚層８１の中に配置される。
【００４０】
本例においては，実施形態例１で用いた水中センサ１１に加えて，空中センサ１２を位置センサとして用いている。そのため，実施形態例１のように定期的に揚水ホースを上昇させなくても，揚水ホース２の吸込口２０を濃厚層８１の中に常時正確に位置させることができる。
【００４１】
実施形態例３：本例においては，図５（ａ）に示すごとく，実施形態例１の水中センサに代えて空中センサ１２を用いている。空中センサ１２の構成及び取付け位置は，実施形態例２のそれと同様である。また，ホース駆動手段３の制御回路３２には，予め，揚水ホース２を定期的に３ｍ程度下降させる下降信号が設定されている。
【００４２】
揚水ホース２の吸込口を濃厚層８１の中に位置させるにあたっては，図５（ｂ）に示すごとく，揚水ホース２を一旦油濁水８０の低位置まで下降させる。空中センサ１２のスイッチをオンにする。その後，ホース駆動手段３により揚水ホース２を上昇させる。揚水ホース２に取付けた空中センサ１２の電極部１２１，１２２は，油濁水８の低位置から徐々に上昇し，やがて，油濁水８０の上の空気層８７に到達する。すると，電極１２１，１２２の間の電気導通が停止する。空中センサ１２は，これを正常と判断し，揚水ホースの上昇を停止する停止信号をホース駆動手段３に送る。ホース駆動手段３は，揚水ホース２の巻き上げを直ちに停止する。これにより，揚水ホース２の吸込口２０は，油濁水８０の表面に浮かぶ浮上油分の濃厚層８１の中に配置される。
【００４３】
ホース駆動手段の制御回路３２には，定期的に揚水ホースを下降させる定期下降信号が設定されている。このため，定期的に揚水ホース２は，揚水ホース２を下降させる。このとき，空中センサ１２は，油濁水８０の中に配置され電極間で電気導通が生じる。そのため，空中センサ１２は，この状態を異常と判断し，揚水ホース２を上昇させるホース上昇信号を作成し，これに基づいて揚水ホース２を上昇させる。やがて，電極が油濁水を出てその上方の空気層８７に位置したときには，電気導通は停止する。この状態を空中センサ１２は正常と判断し，ホース停止信号を作成し，ホース駆動手段３により揚水ホース２の上昇を停止させる。これにより，揚水ホース２の吸込口２０が油濁水８０表面の濃厚層８１の中に再度位置させる事ができる。
【００４４】
また，空中センサ１２は，常時作動させておくことが好ましい。これにより，油濁水８０の水位が雨などによって上昇した場合にも，すぐに空中センサ１２によりホース上昇信号が作成され，揚水ホース２が上昇し吸込口２０を濃厚層８１の中に位置させることができる。
【００４５】
【発明の効果】本発明によれば，浮上汚濁物を含む汚濁物含有液を効率良く揚水することができる汚濁水回収装置の提供を可能ならしめることができる。
【図面の簡単な説明】
【図１】本発明に係る汚濁水回収装置の本体部が搭載される浮体装置の平面図。
【図２】図１のＡ−Ａ線に沿う断面図。
【図３】実施形態例１における、水中センサが正常と判断したときの吸入口の位置を示す説明図（ａ）及び異常と判断したときの吸入口の位置を示す説明図（ｂ）。
【図４】実施形態例２における、水中センサが正常と判断したときの吸入口の位置を示す説明図（ａ）及び異常と判断したときの吸入口の位置を示す説明図（ｂ）。
【図５】実施形態例３における、水中センサが正常と判断したときの吸入口の位置を示す説明図（ａ）及び異常と判断したときの吸入口の位置を示す説明図（ｂ）。
【符号の説明】
１１　水中センサ
１２　空中センサ
１１１　電極
１１２　電極
１２１　電極
１２２　電極
２　揚水ホース
２０　吸込口
３　ホース駆動手段
３１　巻き上げ装置
３２　制御装置
８０　油濁水
８１　濃厚層
８１１　油分濃厚液
８２　希薄層
８４　汚水
１００　浮体装置
【図１】
2004016872.tif 000003
【図２】
2004016872.tif 000004
【図３】
2004016872.tif 000005
【図４】
2004016872.tif 000006
【図５】
2004016872.tif 000007